(57)【要約】【課題】仕向客先や仕向国毎に異なる色の好みに対応するため、仕向客先や仕向国毎にバックライトを変更する必要があった。【解決手段】液晶によって画面の背面側の略全体で発光する光の透過を制御して画面上に画像を表示する液晶表示装置に搭載される液晶モジュール内のバックライトを制御するバックライト制御方法において、上記光の光源であるとともに点灯時の放射光の色温度が異なる複数のバックライトが上記液晶モジュール内に配設されており、上記液晶表示装置に供給される交流電圧に基づいてその交流電圧規格を検出し、当該交流電圧規格に対して予め対応づけられたバックライトを上記複数のバックライトから選択して点灯制御する。【選択図】  図１
2005003898.tif 000002
【特許請求の範囲】
【請求項１】
液晶によって画面の背面側の略全体で発光する光の透過を制御して画面上に画像を表示する液晶表示装置に搭載される液晶モジュールにおいて、
上記光の光源であるとともに点灯時の放射光の色温度が異なる複数のバックライトと、
上記液晶表示装置に供給される交流電圧を直流電圧に変換する電源ユニットから当該変換後の直流電圧を検出する直流電圧検出手段と、
同検出した直流電圧をデジタル信号に変換するアナログデジタル変換手段と、
当該デジタル信号と駆動対象のバックライトとを予め対応づけるとともにその対応関係を示す対応関係データを記憶する対応関係記憶媒体と、
上記デジタル信号を取得するとともに上記対応関係データを参照して当該デジタル信号に対応したバックライトを特定し、当該バックライトを示す制御信号を出力するマイコンと、
同制御信号を取得して当該制御信号が示すバックライトを点灯させるインバータとを備えることを特徴とする液晶モジュール。
【請求項２】
液晶によって画面の背面側の略全体で発光する光の透過を制御して画面上に画像を表示する液晶表示装置に搭載される液晶モジュール内のバックライトを制御するバックライト制御装置において、
上記光の光源であるとともに点灯時の放射光の色温度が異なる複数のバックライトと、
上記液晶表示装置に供給される交流電圧に基づいてその交流電圧規格を検出し、当該交流電圧規格に対して予め対応づけられたバックライトを上記複数のバックライトから選択して点灯制御するバックライト点灯制御手段とを備えることを特徴とするバックライト制御装置。
【請求項３】
上記複数のバックライトは上記液晶モジュールの所定位置に配設されて当該液晶モジュールと一体になっており、上記バックライト点灯制御手段では、上記液晶モジュールの外部にて上記交流電圧を取得して上記液晶表示装置を駆動する直流電圧を生成する電源ユニットに対する接続線を介して上記交流電圧規格を検出することを特徴とする上記請求項２に記載のバックライト制御装置。
【請求項４】
上記バックライト点灯制御手段は、上記交流電圧を直流電圧に変換する電源ユニットから当該変換後の直流電圧を検出するとともに、当該直流電圧値によって上記交流電圧規格を検出することを特徴とする上記請求項２または請求項３のいずれかに記載のバックライト制御装置。
【請求項５】
上記バックライト点灯制御手段は上記複数のバックライトのそれぞれを点灯させるインバータを備え、当該インバータにおいて上記検出した交流電圧規格に対応づけられたバックライトを駆動することにより異なる色温度のホワイトバランスでの画像表示を可能にすることを特徴とする上記請求項２〜請求項４のいずれかに記載のバックライト制御装置。
【請求項６】
液晶によって画面の背面側の略全体で発光する光の透過を制御して画面上に画像を表示する液晶表示装置に搭載される液晶モジュール内のバックライトを制御するバックライト制御装置において、
上記光の光源であるとともに点灯時の放射光の色温度が異なる複数のバックライトと、
点灯対象のバックライトを選択する所定のスイッチを備えるとともに当該スイッチにて選択されたバックライトを点灯制御するバックライト点灯制御手段とを備えることを特徴とするバックライト制御装置。
【請求項７】
液晶によって画面の背面側の略全体で発光する光の透過を制御して画面上に画像を表示する液晶表示装置に搭載される液晶モジュール内のバックライトを制御するバックライト制御方法において、
上記光の光源であるとともに点灯時の放射光の色温度が異なる複数のバックライトが上記液晶モジュール内に配設されており、上記液晶表示装置に供給される交流電圧に基づいてその交流電圧規格を検出し、当該交流電圧規格に対して予め対応づけられたバックライトを上記複数のバックライトから選択して点灯制御することを特徴とするバックライト制御方法。
【発明の詳細な説明】
【０００１】
【発明の属する技術分野】
本発明は、液晶モジュール、バックライト制御装置およびバックライト制御方法に関する。
【０００２】
【従来の技術】
従来、この種の液晶モジュールとして液晶を照明する複数本のランプを搭載する技術が知られている。（例えば、特許文献１参照。）この技術においては、上記複数本のランプを少なくとも２つに分けて交互に点灯したり、交互に明るさを変える等の構成を採用しており、これによりランプの長寿命化を図っている。
【０００３】
【特許文献１】
特開平１１−３５２４６０号公報
【０００４】
【発明が解決しようとする課題】
上述した従来の技術においては、次のような課題があった。
すなわち、液晶モジュールを利用した液晶表示装置において、その色温度は光源たるバックライトによって決定され、仕向客先や仕向国毎にバックライトを変更する必要があった。具体的には、仕向客先や仕向国毎に要求される色温度が異なっており、バックライトにおいては内部に塗布される蛍光剤やガスの種類によって色温度が一定の値になるため、色温度を上述の要求に対応させるためには仕向客先や仕向国毎にバックライトを変更しなければならなかった。上述の従来技術においては複数本のランプをバックライトとして利用しているが、ランプの長寿命化を目的としているため色温度が同一の複数本のランプを利用する必要があり、仕向客先や仕向国毎にバックライトを変更する必要がある。
【０００５】
仕向客先や仕向国毎にバックライトを変更する構成において液晶モジュール生産者の現実的な対応としては、仕向客先や仕向国毎に異なる色温度のバックライトを搭載した異なる液晶モジュールを生産せざるを得ない。この状況では、仕向客先や仕向国毎に液晶モジュールの設計を行う必要があり、また、大量生産によるコストダウンを図ることが困難であり、高コストとなってしまう。さらに、色温度を自由に変更することができないため、末端のユーザが液晶表示装置を購入後にその要望に自由に対応することができなかった。
本発明は、上記課題にかんがみてなされたもので、仕向客先や仕向国毎に異なる色温度の要望について容易に応えることができ、低コストで提供することが可能な液晶モジュール、バックライト制御装置およびバックライト制御方法の提供を目的とする。
【０００６】
【課題を解決するための手段および発明の効果】
上記目的を達成するため、請求項１にかかる発明は、液晶によって画面の背面側の略全体で発光する光の透過を制御して画面上に画像を表示する液晶表示装置に搭載される液晶モジュールにおいて、上記光の光源であるとともに点灯時の放射光の色温度が異なる複数のバックライトと、上記液晶表示装置に供給される交流電圧を直流電圧に変換する電源ユニットから当該変換後の直流電圧を検出する直流電圧検出手段と、同検出した直流電圧をデジタル信号に変換するアナログデジタル変換手段と、当該デジタル信号と駆動対象のバックライトとを予め対応づけるとともにその対応関係を示す対応関係データを記憶する対応関係記憶媒体と、上記デジタル信号を取得するとともに上記対応関係データを参照して当該デジタル信号に対応したバックライトを特定し、当該バックライトを示す制御信号を出力するマイコンと、同制御信号を取得して当該制御信号が示すバックライトを点灯させるインバータとを備える構成としてある。
【０００７】
上記のように構成した請求項１にかかる発明においては、液晶表示装置に搭載される液晶モジュールに、点灯時の放射光の色温度が異なる複数のバックライトを備え付け、液晶表示装置に供給される交流電圧によって異なるバックライトを選択し点灯させる。すなわち、一般的に利用される交流電源の電圧規格は国毎に異なっており、交流電圧が異なれば仕向国が異なるといえる。そこで、交流電圧規格を検出することによってバックライトの適切な色温度を把握することができ、適切な色温度のバックライトを点灯させることができる。
【０００８】
このようなバックライトの点灯制御を実現するため、液晶モジュールには色温度が異なる複数のバックライトが備え付けられている。従って、異なるバックライトを点灯させることによって、液晶表示装置の背面側から液晶を透過する光の色温度を変更することができる。色温度の異なるバックライトとしてはバックライト内面の蛍光剤やガスの種類を異なるものを採用することによって実現することができる。より具体的には、日本と米国と欧州とでは好まれる色温度が異なるので、それぞれの国で好まれる色温度のバックライトを液晶モジュールに搭載すれば、日本と米国と欧州向けの液晶モジュールを単一のモジュールとして提供することができる。
【０００９】
各国毎に異なる交流電源の電圧規格に対応するために、本発明においては、直流電圧検出手段とアナログデジタル変換手段と対応関係記憶媒体とマイコンとを備えている。すなわち、本発明にかかる液晶モジュールが搭載される液晶表示装置は液晶モジュールの外部の電源ユニットから直流電圧を得て各部を駆動しているので、直流電圧検出手段ではこの電源ユニットから交流電源電圧に対応した直流電圧を取得する。この直流電圧は交流電源の電圧に対応しているので、この直流電圧をアナログデジタル変換手段でデジタル信号に変換することによりマイコンで直流電圧値を検出することができる。
【００１０】
対応関係記憶媒体には、予め上記デジタル信号と駆動対象のバックライトとの対応関係を示す対応関係データが記録されている。このデジタル信号は上述のように直流電圧に対応し、直流電圧は交流電圧に対応するので、上述の対応関係は実質的に駆動対象のバックライトと交流電圧とを対応づけているといえる。従って、マイコンにおいて当該対応関係データを参照することによって交流電圧に対応したバックライトを特定することができる。この結果、マイコンはインバータに対して適切な駆動対象を指示する制御信号を出力することが可能になり、インバータでは当該制御信号に応じて仕向国に対応した適切なバックライトを点灯制御することができる。
【００１１】
以上の構成により、複数の仕向国に共通の液晶モジュールを提供することができる。このため、仕向国別の要望について容易かつ的確に応えることが可能な液晶モジュールを提供することが可能になる。また、各国毎に好まれるバックライトを一つ搭載した液晶モジュールを複数種類作成する場合と比較して、量産によるコスト低減効果を高めることができ、低コストの液晶モジュールを提供することができる。
【００１２】
また、請求項２にかかる発明は、液晶によって画面の背面側の略全体で発光する光の透過を制御して画面上に画像を表示する液晶表示装置に搭載される液晶モジュール内のバックライトを制御するバックライト制御装置において、上記光の光源であるとともに点灯時の放射光の色温度が異なる複数のバックライトと、上記液晶表示装置に供給される交流電圧に基づいてその交流電圧規格を検出し、当該交流電圧規格に対して予め対応づけられたバックライトを上記複数のバックライトから選択して点灯制御するバックライト点灯制御手段とを備える構成としてある。
【００１３】
上記のように構成した請求項２にかかる発明においては、バックライト点灯制御手段によって色温度が異なる複数のバックライトのいずれかを選択して点灯制御する。すなわち、本発明においても交流電圧規格が仕向国や仕向客に対応していることとしているので、交流電圧規格を検出すれば仕向国や仕向客に対応したバックライトを選択して点灯制御することができる。バックライト点灯制御手段においては液晶表示装置に供給される交流電圧に基づいてその交流電圧規格を検出するので、液晶モジュールを搭載した液晶表示装置の利用者は仕向国（交流電圧規格）毎に異なるバックライトを点灯すべきことを何ら意識する必要はなく、仕向国で一般的な交流電圧を供給するのみで自動で適切なバックライトを選択し、点灯させることができる。従って、仕向客先や仕向国毎に異なる色温度の要望について容易に対応することができる。
【００１４】
また、バックライト制御装置の低コスト化を実現するための構成例として請求項３にかかる発明においては、上記複数のバックライトは上記液晶モジュールの所定位置に配設された当該液晶モジュールと一体になっており、上記バックライト点灯制御手段では、上記液晶モジュールの外部にて上記交流電圧を取得して上記液晶表示装置を駆動する直流電圧を生成する電源ユニットに対する接続線を介して上記交流電圧規格を検出する構成としてある。
【００１５】
上記のように構成した請求項３にかかる発明において、複数のバックライトは液晶モジュールと一体になるように取り付けられる。また、バックライト点灯制御手段では上記液晶モジュールの外部の電源ユニットから接続線を介して交流電圧規格を検出する。すなわち、液晶モジュールの生産者は当該交流電圧規格を検出するための接続線を上述のバックライト点灯制御手段に接続し、当該接続線を液晶モジュールの外部に露出させた状態で提供することにより、非常に汎用的な液晶モジュールを作成することが可能になる。従って、複数の仕向国に共通の液晶モジュールを提供することができ、量産によるコスト低減効果を高めて低コストの液晶モジュールを提供することができる。
【００１６】
ここで、バックライト点灯制御手段では、液晶表示装置に供給される交流電圧に基づいてその交流電圧規格を検出し、当該交流電圧規格に対して予め対応づけられたバックライトを上記複数のバックライトから選択して点灯制御することができればよく、種々の構成を採用可能である。かかる構成の一例として請求項４にかかる発明は、上記バックライト点灯制御手段は、上記交流電圧を直流電圧に変換する電源ユニットから当該変換後の直流電圧を検出するとともに、当該直流電圧値によって上記交流電圧規格を検出する構成としてある。
【００１７】
上記のように構成した請求項４にかかる発明においては、直流電圧値によって上記交流電圧規格を検出するので、マイコンなど直流電圧値（デジタル信号）によって動作を決定するロジック回路を利用することができ、容易に交流電圧規格を判断することができる。また、液晶表示装置が交流電圧の供給を受け、電源ユニットによって当該交流電圧を直流電圧に変換して液晶表示装置を駆動する一般的な態様において、この変換直後の直流電圧が交流電圧規格を反映した値になっている場合にはこの直流電圧を検出すれば、交流電圧規格を検出したことと等価になる。従って、電子機器を駆動するための汎用的な電源ユニットに対して直流電圧を検出する接続線を接続するのみで容易に交流電圧規格を検出できるように構成することができる。
【００１８】
さらに、請求項５にかかる発明においては、上記バックライト点灯制御手段は上記複数のバックライトのそれぞれを点灯させるインバータを備え、当該インバータにおいて上記検出した交流電圧規格に対応づけられたバックライトを駆動することにより異なる色温度のホワイトバランスでの画像表示を可能にする構成としてある。
【００１９】
上記のように構成した請求項５にかかる発明においては、インバータによって複数のバックライトのそれぞれを点灯制御することが可能である。そこで、当該インバータにおいて上記検出した交流電圧規格に対応づけられたバックライトを駆動することにより、仕向国や仕向客に対応した適切なバックライトを点灯することが可能になる。インバータにおいてバックライトを選択する構成としては種々の構成を採用可能であり、例えば、マイコンによる制御信号によって接点を切り替えつつバックライトを選択するスイッチ回路等種々の構成を採用可能である。
【００２０】
さらに、仕向客先や仕向国毎に異なる色温度の要望について容易に応えることが可能であって、低コストで提供可能なバックライト制御装置として、請求項６にかかる発明においては、液晶によって画面の背面側の略全体で発光する光の透過を制御して画面上に画像を表示する液晶表示装置に搭載される液晶モジュールにおいて、上記光の光源であるとともに点灯時の放射光の色温度が異なる複数のバックライトと、点灯対象のバックライトを選択する所定のスイッチを備えるとともに当該スイッチにて選択されたバックライトを点灯制御するバックライト点灯制御手段とを備える構成としてある。
【００２１】
上記のように構成した請求項６にかかる発明においては、バックライト点灯制御手段に備えられた所定のスイッチによってバックライトを適宜選択して点灯させることができる。また、この液晶モジュールには点灯時の放射光の色温度が異なる複数のバックライトが備え付けられている。従って、この液晶モジュールが搭載される一台の液晶表示装置において複数の色温度での表示を実現することが可能になる。この結果、スイッチを切り替えるのみで非常に容易に仕向客先や仕向国、さらには末端の利用者の好みに応じた画像の表示が可能になる。
【００２２】
上述のように色温度の異なる複数のバックライトを適宜点灯させる手法は、必ずしも装置に限られない。その一例として、請求項７にかかる発明は、液晶によって画面の背面側の略全体で発光する光の透過を制御して画面上に画像を表示する液晶表示装置に搭載される液晶モジュール内のバックライトを制御するバックライト制御方法において、上記光の光源であるとともに点灯時の放射光の色温度が異なる複数のバックライトが上記液晶モジュール内に配設されており、上記液晶表示装置に供給される交流電圧に基づいてその交流電圧規格を検出し、当該交流電圧規格に対して予め対応づけられたバックライトを上記複数のバックライトから選択して点灯制御する構成としてある。すなわち、必ずしも装置という形態に限らず、その方法としても有効である。
【００２３】
【発明の実施の形態】
ここでは、下記の順序に従って本発明の実施の形態について説明する。
（１）液晶表示装置の構成：
（２）バックライト点灯制御部の構成：
（３）本発明の動作：
（４）他の実施形態：
【００２４】
（１）液晶表示装置の構成：
以下、図面にもとづいて本発明の実施形態を説明する。図１は、本発明の一実施形態にかかる液晶表示装置を示す図であり、図２は同液晶表示装置の構成を示す概略ブロック図である。図において、液晶表示装置１０はスタンドに対して取り付けられた板状略矩形の外部筐体に覆われた本体を備えており、同外部筐体の内部には表示画面１１を備えた液晶モジュール２０が配設されている。
【００２５】
液晶モジュール２０は複数の薄板状部材を積層するとともに画面表示を行う制御駆動処理を行う電子回路を備えている。すなわち、図示しない偏光板やガラス基板の間に挟まれたカラーフィルタおよび液晶、偏光板等を備えるとともに、ガラス基板の一方の表面に形成されたＴＦＴ回路を駆動するドライバやこれらドライバを駆動する制御回路２５を備えている。
【００２６】
さらに、表示画面１１の背面側から表示画面１１側に照射する光の光源となるバックライトを備えている。図１の拡大図Ａは液晶モジュール２０内におけるバックライト付近の構造を示している。本実施形態において、液晶モジュール２０の背面側では奥から反射板２２，導光板２３，光拡散シート２４の順に薄板状の部材積層されており、導光板２３の上下縁部にはその側面に隣接するようにバックライト２１ａ〜２１ｃが配設されている。
【００２７】
バックライト２１ａ〜２１ｃには図２に示すインバータ２６が接続されており、インバータ２６は図示しない接続線を介して表示部３０を駆動する直流電圧を取得し、高電圧を発生させてバックライト２１ａ〜２１ｃのそれぞれを点灯させることができる。バックライト２１ａ〜２１ｃの内部に塗布された蛍光剤および内部に封入されたガスはそれぞれ異なっており、インバータ２６の制御によって点灯し、定常状態となったときにそれぞれの照射光の色温度が異なっている。
【００２８】
導光板２３内を進行する光は、導光板２３内部の各所で反射し、反射板２２方向に進行する光は反射板２２で反射して表示画面１１側に進行する。すなわち、バックライト２１ａ〜２１ｃからの照射光は導光板２３を介して画面全体に進行するとともに表示画面１１側に進行する。従って、図示しないＴＦＴ回路で光の透過を調整することによって表示画面１１に画像を形成することができる。
【００２９】
本実施形態にかかる液晶表示装置１０は放送電波を受信して当該電波に重畳された信号が示す画像を表示画面１１に表示させるようになっている。このために、液晶表示装置１０は図２に示す電源ユニット１２と画像表示を制御する表示部３０とを備えている。電源ユニット１２は液晶表示装置１０の仕向国毎の一般家庭用交流電圧の供給を受け、表示部３０を駆動するための直流電圧に変換する回路が備えられたユニットであり、変換で得られた直流電圧が表示部３０に供給される。
【００３０】
チューナ３１は、マイコン３２から同調周波数を指示され、アンテナ３１ａを介してテレビ放送電波を受信する。チューナ３１がテレビ放送電波を受信すると、上記指示された同調周波数の信号によってテレビ放送電波を復調し、中間周波信号を出力する。この中間周波信号は１ｃｈｉｐＩＣ３３に供給される。１ｃｈｉｐＩＣ３３は上記中間周波信号を取得して図示しない音声信号や映像信号を復調する。映像信号は輝度信号，色差信号，同期信号等が重畳された信号であり、本実施形態においてはこれらの信号が重畳された映像信号の段階でＡ／Ｄ変換回路３４での変換が施される。
【００３１】
すなわち、Ａ／Ｄ変換回路３４はアナログ信号を受信してその振幅レベルに応じてデジタル信号化する回路であり、同Ａ／Ｄ変換回路３４からは上記映像信号がデジタル化されて出力される。デジタル化された映像信号は映像信号処理回路３５および同期信号処理回路３６に供給される。映像信号処理回路３５はデジタル化された映像信号から輝度信号と色差信号を分離する処理を行う回路であり、分離して得られた信号はデジタル化されたコンポーネント信号としてマトリクス回路３７に供給される。
【００３２】
同期信号処理回路３６はＡ／Ｄ変換回路３４の出力信号から同期信号をサンプリングし、映像信号処理回路３５および液晶モジュール２０の制御回路２５に対して出力する。マトリクス回路３７は上記デジタル化されたコンポーネント信号から表示画面１１の水平方向ライン毎にＲＧＢ（レッド，グリーン，ブルー）の階調レベルを示すデータを生成する。スケーラ３８はこのデータを取得して液晶モジュール２０の画面に形成される各画素に対して階調値を割り当てる処理を行い、制御回路２５に対して出力する。
【００３３】
液晶モジュール２０はスケーラ３８が出力する信号と同期信号処理回路３６が出力する同期信号とを取得して水平方向および垂直方向に各画素の表示タイミングを同期させながら各画素の表示を行わせる。この表示を実施するに際してインバータ２６は上記バックライト２１ａ〜２１ｃのいずれかを点灯制御するようになっており、バックライトの選択はバックライト点灯制御部４０によって実施される。
【００３４】
バックライト点灯制御部４０は、直流電圧検出部４１とマイコン３２とインバータ２６とを備えており、直流電圧検出部４１によって整流直後の直流電圧値を検出し、マイコン３２がこの直流電圧値に基づいてインバータ２６に制御信号を出力する。インバータ２６は当該制御指示に従って上記バックライト２１ａ〜２１ｃのいずれかを点灯させるようになっている。本実施形態ではかかる構成により電源ユニット１２に供給される交流電圧の電圧規格に対応したバックライトを点灯させるようになっており、以下、バックライト点灯制御部４０の構成を詳述する。
【００３５】
（２）バックライト点灯制御部の構成：
図３は、バックライト点灯制御部４０の要部を示す図である。バックライト点灯制御部４０は電源ユニット１２に対して接続線Ｃを介して接続されている。電源ユニット１２は上述のように交流電源から交流電圧の供給を受けて直流電圧を出力する回路を備えており、図３にはその一部を示している。本実施形態において電圧の変換は全波整流回路１２ａは交流電源から供給される交流電圧を全波整流して脈流電圧を出力する。
【００３６】
この脈流電圧は平滑部１２ｂによって整流され、直流電圧に変換される。変換された直流電圧はさらに図示しないＤＣ−ＤＣコンバータ等によって適宜液晶表示装置１０を駆動するための直流規格電圧に変換されて液晶表示装置１０に供給される。上記平滑部１２ｂと全波整流回路１２ａとの接点部に対しては上記接続線Ｃの一方端が接続されている。接続線Ｃの他方端はバックライト点灯制御部４０の内部で分圧抵抗Ｒ１，Ｒ２によって分圧されており、その分圧電位がマイコン３２のＡ／Ｄポートに供給されている。
【００３７】
マイコン３２のＡ／Ｄポートでは、アナログ電位をデジタル値に変換して取得可能であり、マイコン３２はこのデジタル値に基づいて電源ユニット１２に供給される交流電圧の交流電圧規格を実質的に判断する。すなわち、マイコン３２はメモリ３２ａを搭載しており、同メモリ３２ａには対応関係データ３２ａ１が記録されている。対応関係データ３２ａ１は、Ａ／Ｄポートを介して取得するデジタル値と制御対象のバックライトとを対応づけており、この対応関係に従って制御対象のバックライトを示す制御信号をインバータ２６に対して出力する。
【００３８】
インバータ２６では、当該制御信号に応じて適宜制御対象のバックライトを切り替えるスイッチ２６ａを備えており、スイッチ２６ａは高電圧発生部２６ｂに対して供給する直流電圧を切り替える。すなわち、電源ユニット１２が液晶表示装置１０を駆動するために供給する直流電圧はインバータ２６にも供給されており、スイッチ２６ａはこの直流電圧を切り替えて高電圧発生部２６ｂの異なる端子に供給する。
【００３９】
高電圧発生部２６ｂは供給される直流電圧から高電圧の交流電圧を生成する回路であり、当該交流電圧は上記直流電圧が供給される端子毎に異なるバックライト２１ａ〜２１ｃに供給され、バックライト２１ａ〜２１ｃのいずれかが点灯する。従って、マイコン３２は制御信号によって点灯するバックライトを選択していることになり、また、この選択は上記交流電圧規格を実質的に判断しこの交流電圧規格に基づいてなされていることになる。交流電圧規格は上述のように仕向国毎に異なるので、以上の構成によれば仕向国毎に異なる色温度の好みに応じて適切な色温度のバックライトを点灯することができる。
【００４０】
（３）本発明の動作：
次に、具体的な例に沿って本発明の動作を説明する。本発明にかかる液晶モジュール２０を搭載した液晶表示装置１０において、液晶モジュール２０には上述のように色温度の異なるバックライト２１ａ〜２１ｃが搭載され、液晶を透過させる光を３種類の中から選択することができる。但し、電源ユニット１２は各仕向国別の電源プラグが採用され、当該電源プラグを介して取得した各仕向国毎の交流電圧を全波整流回路１２ａで整流し、平滑部１２ｂで平滑化する。平滑化した後の直流電圧は図示しない回路によって適切な電位とされ、表示部３０に供給される。
【００４１】
図３では電源プラグによって取得する電圧規格が１００Ｖ（日本），１２０Ｖ（米国），２３０（欧州）のいずれかである場合を例として示しており、電源プラグから交流電圧が供給されると電源ユニット１２において電圧変換がなされる過程で分圧抵抗の分圧電位がａ（Ｖ），ｂ（Ｖ），ｃ（Ｖ）のいずれかになるとする。ここで、ａ＜ｂ＜ｃとした場合、メモリ３２ａに記録された対応関係データは、分圧電位ａに対して日本向けのバックライトＡ（２１ａ），分圧電位ｂに対して米国向けのバックライトＢ（２１ｂ），分圧電位ｃに対して欧州向けのバックライトＣ（２１ｃ）を予め対応づけていることになる。
【００４２】
従って、液晶表示装置１０が日本向けの製品であった場合、電源ユニット１２において電源プラグを介して交流電圧が供給されると、分圧抵抗値がａ（Ｖ）となり、マイコン３２は日本向けの色温度で発光するバックライトＡを示す制御信号をインバータに対して出力する。インバータ２６においては、上記電源ユニット１２が生成した直流電圧の供給を受けており、また、上記マイコン３２からの制御信号によってスイッチ２６ａを制御して直流電圧の供給先を高電圧発生部２６ｂにおける端子Ａとする。この結果、高電圧発生部２６ｂでは、日本向けの色温度で発光するバックライトＡ（２１ａ）が点灯する。
【００４３】
当該バックライトＡが点灯している状態で、上記表示部３０は上記チューナ３１によってテレビ放送電波を受信し、１ｃｈｉｐＩＣ３３，映像信号処理回路３５、制御回路２５等の制御処理により、テレビ放送電波に重畳された信号が示す画像を表示画面１１上に表示する。この画像は、上記日本向けの色温度で発光するバックライトＡの照射光が液晶を透過することによって形成されている。従って、そのホワイトバランス等、画像の色は日本人の好みになっている。
【００４４】
以上のように、本実施形態においては、液晶モジュール２０に複数のバックライト２１ａ〜２１ｃを搭載し、電源ユニット１２から直流電圧を検出することによって自動で適切なバックライトを点灯させている。従って、利用者が何ら意識せず単に液晶表示装置１０に電圧を供給するのみで、自己の好みに沿った色で画像が表示されるようになる。むろん、日本以外にも米国や欧州の利用者も同様であり単に電圧の供給を受けるのみで自己の好みに沿った色で画像が表示される。このため、本実施形態において電源ユニット１２は各仕向国別に構成する必要があるものの、液晶モジュール２０は各仕向国について共通であり、各国別に設計する必要がないし、各国別に組み立てをする必要が無く、同じ製品を大量生産することが可能になる。この結果、非常に低コストで液晶モジュール２０を提供することができる。
【００４５】
（４）他の実施形態：
本発明においては、色温度の異なる複数のバックライトを液晶モジュールに搭載し、仕向国や仕向客先毎に適宜選択して適切なバックライトを点灯させることができればよく、上記実施形態以外にも種々の構成を採用可能である。例えば、複数のバックライトとして採用可能な構成は上記バックライト２１ａ〜２１ｃに限られず、図４に示すように種々の構成を採用可能である。
【００４６】
図４の左側にはＵ字形、右側にはＳ字形のバックライトを示している。これらのバックライトは破線で示す画面Ｆの背面側にＵ字形のバックライト２１０ａ〜２１０ｃあるいはＳ字形のバックライト２１１ａ〜２１１ｃが配設され、これらのバックライトから画面側には導光板，背面側には反射板が備え付けられる。かかる構成においても色温度の異なる複数のバックライトを配設し、交流電圧規格等によって仕向国，仕向客先毎に異なるバックライトを点灯することにより、自動で仕向国，仕向客先に応じた適切な色温度の光を選択することができる。むろん、バックライトの数は３本に限られず、２本以上であればよく、仕向国や仕向客先、コスト等を勘案して種々の構成を採用可能である。
【００４７】
また、上記実施形態のように交流電圧規格によってバックライトを選択する構成以外にも種々の構成を採用可能である。図５は、液晶表示装置１０に備えられたスイッチ２６０によってバックライトを切り替え可能に構成した例の要部を示している。この例においてはスイッチ２６０の切り替えによってインバータ２６に備えられたスイッチ２６０ａが切り替えられるようになっている。他の構成は上述の実施形態と同様である。
【００４８】
従って、利用者は液晶表示装置１０のスイッチ２６０を切り替えることによって所望のバックライトを点灯させることができ、所望の色温度の光で形成される画像を視聴することができる。この場合でもインバータ２６でスイッチ２６０の操作による切り替えを可能に構成すればよいので、インバータ２６や複数のバックライトを含む液晶モジュールを一体で構成することができ、低コストにて液晶モジュールを提供することができる。むろん、スイッチ２６０は末端のユーザによって調整可能にしておいてもよいし、液晶表示装置の組み立て後には筐体内に内包されるように構成することによって工場での調整者が調整を実施するように構成してもよく、種々の構成を採用可能である。
【図面の簡単な説明】
【図１】本発明の一実施形態にかかる液晶表示装置を示す図である。
【図２】液晶表示装置の構成を示す概略ブロック図である。
【図３】バックライト点灯制御部の要部を示す図である。
【図４】他の実施形態にかかるバックライトを示す図である。
【図５】他の実施形態にかかるインバータ及びスイッチを示す図である。
【符号の説明】
１０…液晶表示装置
１１…液晶表示画面
１２…電源ユニット
１２ａ…全波整流回路
１２ｂ…平滑部
２０…液晶モジュール
２１ａ〜２１ｃ…バックライト
２２…反射板
２３…導光板
２４…光拡散シート
２５…制御回路
２６…インバータ
２６ａ…スイッチ
２６ｂ…高電圧発生部
３０…表示部
３１…チューナ
３１ａ…アンテナ
３２…マイコン
３２ａ…メモリ
３２ａ１…対応関係データ
３３…１ｃｈｉｐＩＣ
３４…Ａ／Ｄ変換回路
３５…映像信号処理回路
３６…同期信号処理回路
３７…マトリクス回路
３８…スケーラ
４０…バックライト点灯制御部
４１…直流電圧検出部
【図１】
2005003898.tif 000003
【図２】
2005003898.tif 000004
【図３】
2005003898.tif 000005
【図４】
2005003898.tif 000006
【図５】
2005003898.tif 000007